(57)【要約】【課題】  スケッチブックや落書き帳では、描き書こうとするものが欄外へはみ出すことが往々にあり、被対象物を汚して、書画の描写に不快感を覚えることがある。又、スケッチブックや画板などの構成要素がマンネリズムになって、活用性に乏しく、文具用品としても一抹の違和感があり、実質的にも発展性に欠け、描写だけのプロセスが現状であるという不都合を解決すること。【解決手段】  スケッチブックなどの本体、本紙を配置する画板部の外周を適当に覆う余剰部を具備し、余剰部が適度で多様なデザイン構成を枠、又は余剰部を単独として、概観を喚起、書画の範囲外誤記の不具合を抑制し、描写ができ、余剰部を画板部と合成した余剰部がある書画板を設け、読み書き、見聞、工作、書画、パズル・アートなどの多様な適応性があり、更にインテリア・クラフトとして鑑賞を楽しむこともでき、知育と創造性、快適さを有することにより、この課題を解決する。【選択図】図１
2010094963.tif 000002
【特許請求の範囲】
【請求項１】
スケッチブックなどの本体、本紙を配置する画板部の外周を適当に覆う余剰部に適度で多彩なデザイン、知性・感性マークなどの構成を具備し、概観の喚起、書画の範囲外誤記の不具合を抑制することを効果的にし、描写と数多い活用性、更にインテリア・クラフトとして書画品類などを楽しむ、知育性と創造性を併有したものを特徴とする有用余剰カバー付き多目的書画板。
【請求項２】
スケッチブックや画用紙、書写などの本紙を配置する画板部が各種の大きさに適応した固定したものの周囲を接合して覆う余剰部、又、適度にした画板部と余剰部か、画板部が各種の大きさによって、伸縮可変ができるようにしたものの周囲を接合して覆う余剰部、又は本紙を延長、縮小し、本紙の周囲に合成した余剰部、或いは、ブック類本体表紙にフィットするようにした全体的に幅広のブックカバーを周囲の余剰部、更には、画板部上の平面上、斜面上構造での書籍の読み書き、絵本、写真集の見聞、パズル・アート、折り紙、粘土の工作、書画の描写などに適応した余剰部を具備し、余剰部は適度な幅、厚さ、形状種類、色彩、模様、素材、写真、キャラクター、文字数字、その他の知性・感性マーク、デザインなどを自由に選択、細工する構成で、概観を喚起するようにし、画板部は各形状と大きさ、挟み器具、仕切ケース、固定具、画板部可変器具類などや余剰部により、適正なスケッチブックや落書き帳などの描写時の書画の範囲外誤記の不具合を抑制、緩和し、快適さを保有させ、全体を多様に活用使用し、鑑賞用の立て置き器具、吊り具などの構造のものを設け、スケッチブック、書写、写真集、パズル・アートなどの書画・作品類をインテリア・クラフトとして、立て置きや吊るし掛けをして楽しみ、各種本紙の周囲の大きさ、厚さなどに適合した余剰部を有効的に展開することで、書画・文芸類の描写、鑑賞、その他多目的の実用過程において、知性と感性の知育と創意工夫性を自然的に浸透する構成要素を有することを特徴とする請求項１記載の有用余剰カバー付き多目的書画板。
【発明の詳細な説明】
【技術分野】
【０００１】  本発明は、書画板に関するものであり、書画板の全体に工夫を加える事によって、書画の範囲外誤記の不具合を抑制、緩和し、概観を喚起することを備えた描写と高い実用性、更にインテリア・クラフトとしても書画類などを楽しむことができ、知育と共に創造性、快適さを有するものを設け、文具様式の利便性と書画板の潜在機能の発効を図るようにしたものである。
【背景技術】
【０００２】  従来、スケッチブック、書画紙や落書き帳は卓上、床面上や画板上で描写し、終了すれば、閉じて画板と同様に放置するのが日常茶飯の現状である。
【発明の開示】
【発明が解決しようとする課題】
【０００３】  しかし、従来のようなスケッチブックや落書き帳では、描き書こうとするものが欄外へはみ出すことが往々にあり、被対象物を汚したり傷つけたりして、書画の描写に不快感を覚えることがある。又、スケッチブックや画板などの構成要素がマンネリズムになって、充実した描写ができず、文具用品の実用性としても一抹の違和感があり、活用性に乏しく、描写だけのプロセスが現状である。本発明は、これらの不都合を解決することを課題とする。
【課題を解決するための手段】
【０００４】  この課題を解決するための請求項１の発明は、スケッチブックなどの本体、本紙を配置する画板部の外周を適当に覆う余剰部を具備し、余剰部が適度で多様なデザイン、知性・感性マークなどの構成を枠、又は余剰部を単独として、概観を喚起、書画の範囲外誤記の不具合を抑制し、描写することができ、余剰部を画板部と合成した余剰部がある書画板を設けることで、読み書き、見聞、工作、書画、パズル・アートなどの多様な適応性があり、更にインテリア・クラフトとしても書画・作品類やパズル・アートなどの鑑賞ができ、知育と創造性を有し、文具用品として快適に楽しむものを提供する。【０００５】  又、請求項２の発明は、スケッチブックや落書き帳、塗り絵帳、画用紙、書写などの本紙を配置する画板部が各種の大きさに適応した固定したものの周囲を接合して覆う余剰部、又、適度にした画板部と余剰部か、画板部が各種の大きさによって、伸縮可変ができるようにしたものの周囲を接合して覆う余剰部、又は本紙を延長、縮小し、本紙の周囲に合成した余剰部、或いは、ブック類本体表紙にフィットするようにした全体的に幅広のブックカバーを周囲の余剰部、更には、画板部上で描写するだけでなく、書籍、絵本、写真集、プリント画像、ノート、絵画、版画、書道、その他のアート、工作物類などの読書、見聞、手書、書画、造形、各アート、工作の各種に適応した余剰部をそれぞれに具備し、余剰部は適度な幅、厚さ、形状、色彩、模様、素材、写真、アニメキャラクター、文字数字、その他、デザインや知性・感性マークなどの素地、又はシール、ステッカーなどを組み合わせ利用し、全体のバランスなどへの概観を喚起する各種を自由に選択した枠状の構造で、画板部は挟み器具、仕切ケース、固定具、画板部可変器具類など、全体的には表面上の材質が全体、部分において磁性体（外面部は絶縁体）、非磁性体のどちらでも可能であり、平面上、斜面上、垂直にして広範囲、多様に使用し、描写、読み書き、工作用などや鑑賞用の立て置き器具、吊り具など、又、全体を書画類描写とインテリアに適応した形状を含むデザインにし、画板部の表面上は透明カバーなどで覆う構造のものを設けても良く、描写、写生時の適正なスケッチブックや落書き帳などの書画の範囲外誤記の不具合を抑制、緩和、快適さと書籍、絵本、ノート類などの読書、見聞、手書の実施利用、スケッチブック、書写、写真集などの書画をインテリア・クラフトとして、立て置きや吊るし掛けをして楽しむようにできることを併有し、各種本紙の周囲の大きさ、厚さなどに適合した余剰部を効果的に展開することで、書画品類の描写、鑑賞、その他多目的を有することを可能にする。
【発明の効果】
【０００６】  本発明により、従来の画板に無い、画板部と余剰部を合成することで、余剰部の内容を喚起、平面・斜面上の画板部内での、適正で各多目的な書画類に関する実用、全体的にも、立て置きや吊るし掛けのインテリア・クラフトを鑑賞用として文具様式の画板の技術革新ができ、タイムリーに活用性のあるもので、場所、人、目的、内容の利用範囲を広くしたものを提供できる。【０００７】  本発明により、スケッチブックや落書き帳の各単一品、画板部上での書画類の描写などに余剰部を設けることにより、被対象物を汚したり傷つけたりすることがなく、快適に集中でき、手軽に楽しめることができる。【０００８】  従来のマンネリズムを一変させ、全体的に書画品類描写、多角的実用の能動的な実技、実践系内容とインテリア・クラフトの受動的な鑑賞、癒し系内容を同一に保有し、効果的で合理性があるので、書画、その他に関するモチベーションを維持でき、常時的に連結した環境状態を醸し出すもである。【０００９】  画板部、本紙の周囲に余剰部を設け、形状、色彩、模様、素材、全体のデザインなどを意図的に適用することで、ニーズに適応した知能、感性などを意識的、無意識的に豊かにする効能があり、威力を発揮することができる。【００１０】  各種本紙の周囲の大きさ、厚さなどに適合した画板部と余剰部を効果的に展開することで、書画・文芸類の描写、鑑賞、その他多目的の実用過程において、知性と感性の知育と創意工夫性を自然的に浸透する教育要素を有することができ、個人だけでなく、周囲関連のある全体的に共有するものである。【００１１】  画板部が各種の大きさによって、伸縮可変ができるようにしたものの周囲を接合して覆う余剰部間との面積変化に対する適合した各種の知育・装飾類マークの配置割合、位置、内容などの重視ポイントを明確することもできる。【００１２】  余剰部は各種の知育・装飾類マークの素地、又はシール、ステッカーなどを組み合わせ利用し、全体のバランスなどへの概観を喚起する各種を自由に選択した枠状の構造で、余剰部と画板部の全体的は表面上の材質が全体、部分において磁性体、非磁性体のどちらでも可能であり、使用用途によって使い分けをすることができる。【００１３】  一般的には勿論のこと、書画の描写、その他の雑多の工作を画板部上で制作、制作保存、装飾などの順次的、又は変化的に各プロセスを総合的にレイアウトすることもできる。
【発明を実施するための最良の形態】
【００１４】  図１は、有用余剰カバー付き多目的書画板の概略立体外形図＆概略右側面図で、中央の画板部ｂと周囲を覆う余剰部ａ間に仕切ケースｃを設け、対象物を固定する挟み器具ｄ、固定具ｅ、書画板を平面上か斜面上で使用する斜め置き器具（描写、拝読用等）ｆ、又、書画板をインテリア・クラフトにする立て置き器具（鑑賞用）ｇ、吊り具ｈを設け、画板上に乗せるものは、挟み器具ｄ、固定具ｅで留め、図中にはないが、画板部の表面上は透明カバーなどで覆う構造のものを設置しても良い。ｃ、ｄ、ｅは適当なものにする。【００１５】  図２は、有用余剰カバー付き多目的書画板の概略立体外形図例＆概略右・左側面図で、中央の画板部ｂと周囲を覆う余剰部ａを設け、対象物を固定する挟み器具ｄ、書画板を平面上か斜面上で使用する斜め置き器具（描写、拝読用等）ｆ、又、書画板をインテリア・クラフトにする立て置き器具（鑑賞用）ｇ、吊り具ｈを設ける。【００１６】  図３は、有用余剰カバー付き多目的書画板の概略立体外形図例で、中央の画板部ｂに画板部最小範囲５・６と画板部可変範囲１〜４のコーナーガードｉ、画板部可変用弾性体ｊ、コーナーガード固定具ｋ、周囲を覆う余剰部ａを設け、対象物を固定する挟み器具ｄ、書画板を平面上か斜面上で使用する斜め置き器具（描写、拝読用等）ｆ、又、書画板をインテリア・クラフトにする立て置き器具（鑑賞用）ｇ、吊り具ｈを設け、必要に応じて調整でき、不使用の場合はコーナーガードｉをコーナーガード固定具ｋに固定し、画板部面積を最大になるようにする。ｉ、ｋは適当なものにする。【００１７】  図４は、有用余剰カバー付き書画類の概略立体外形図例で、スケッチブックなどの本紙を延長、縮小し、本紙の周囲に合成した余剰部ａ、縦・横掛け吊り具ｈ１〜４、前頁部留め具ｍ１・２、後頁部留め具ｎ１・２を設け、描写後は前後頁を折り返して留めるようにして吊り下げ、ｈは手提げにもなる。ｍ、ｎは挟むもの、又は全体を留めるゴム系、ひも類などのものにする。【００１８】  図５は、有用余剰カバー付き書画類の概略立体外形図例（幅広ブックカバー付）で、ブック類本体表紙にフィットするようにした全体的に幅広のブックカバー１、周囲の余剰部ａ、縦・横掛け吊り具ｈ５・６、前頁部留め具ｍ３、後頁部留め具ｎ３を設け、使用後は前後頁を折り返して留めるようにして吊り下げる。【００１９】  図６は、有用余剰カバー付き多目的書画板の概略外形図例（鑑賞用の場合）で、中央の画板部ｂと周囲を覆う余剰部ａ、対象物を固定する挟み器具ｄ、書画板を平面上か斜面上で使用する斜め置き器具（描写、拝読用等）ｆ、又、書画板をインテリア・クラフトにする立て置き器具（鑑賞用）ｇ、吊り具ｈを設ける。【００２０】  図７は、有用余剰カバー付き多目的書画板の余剰部に知育・装飾類の概略平面図例で、画板部ｂと周囲を覆う余剰部ａ、余剰部には適合した各種の知育・装飾類ｐの各カテゴリーの素地、プリント、シール、ステッカーなどで既製品、制作品のどちらか、どちらも可能であり、余剰部全体を単一、又は複合的にし、取り換えが簡単に変化できる構成を有した構造のものを設ける。【００２１】  図８は、有用余剰カバー付き多目的書画板の画板部に知育・装飾類の概略平面図例で��画板上に乗せる一つであり、各種ボード類の下地ｑに各種のパズル・アート他のプリント、シール、ステッカー、はめ込み式・サインボードなどで既製品、制作品のどちらか、又はどちらも併用できるものを設ける。【００２２】  図９は、有用余剰カバー付き多目的書画板の概略立体外形図例（各種形状）で、中央の画板部ｂと周囲を覆う余剰部ａの形状を多種にしたものを設けた。【００２３】  図１から図９は有用余剰カバー付き多目的書画板に関する概略図、概略図例であり、本発明の特許請求の範囲を満足すれば、この限りではない。
【産業上の利用可能性】
【００２４】  本発明に係る有用余剰カバー付き多目的書画板は、工業的に量産する事が可能であるため、産業上の利用可能性を有する。
【図面の簡単な説明】
【００２５】
【図１】有用余剰カバー付き多目的書画板の概略立体外形図＆概略右側面図
【図２】有用余剰カバー付き多目的書画板の概略立体外形図例＆概略右・左側面図
【図３】有用余剰カバー付き多目的書画板の概略立体外形図例
【図４】有用余剰カバー付き書画類の概略立体外形図例
【図５】有用余剰カバー付き書画類の概略立体外形図例（幅広ブックカバー付）
【図６】有用余剰カバー付き多目的書画板の概略外形図例（鑑賞用の場合）
【図７】有用余剰カバー付き多目的書画板の余剰部に知育・装飾類の概略平面図例
【図８】有用余剰カバー付き多目的書画板の画板部に知育・装飾類の概略平面図例
【図９】有用余剰カバー付き多目的書画板の概略立体外形図例（各種形状）
【符号の説明】
【００２６】図中の文字、数字は次の通りである。
ａ  ：余剰部                          ｂ  ：画板部
ｃ  ：仕切ケース                      ｄ  ：挟み器具
ｅ  ：固定具                          ｆ  ：斜め置き器具（描写、拝読用等）
ｇ  ：立て置き器具（鑑賞用）          ｈ  ：吊り具
ｈ１：横掛け吊り具                    ｈ２：縦掛け吊り具
ｈ３：横掛け吊り具                    ｈ４：縦掛け吊り具
ｈ５：横掛け吊り具                    ｈ６：縦掛け吊り具
ｉ  ：コーナーガード                  ｊ  ：画板部可変用弾性体
ｋ  ：コーナーガード固定具            ｌ  ：幅広ブックカバー
ｍ１：前頁部留め具                    ｎ１：後頁部留め具
ｍ２：前頁部留め具                    ｎ２：後頁部留め具
ｍ３：前頁部留め具                    ｎ３：後頁部留め具
ｐ  ：各種の知育・装飾類              ｑ  ：各種ボード類の下地
ｒ  ：各種のパズル・アート他
１  ：画板部可変範囲                  ２  ：画板部可変範囲
３  ：画板部可変範囲                  ４  ：画板部可変範囲
５  ：画板部最小範囲                  ６  ：画板部最小範囲
【図１】
2010094963.tif 000003
【図２】
2010094963.tif 000004
【図３】
2010094963.tif 000005
【図４】
2010094963.tif 000006
【図５】
2010094963.tif 000007
【図６】
2010094963.tif 000008
【図７】
2010094963.tif 000009
【図８】
2010094963.tif 000010
【図９】
2010094963.tif 000011